(57)【要約】【課題】  マッサージ椅子において、マッサージ機構のリモコン装置を、使用者が座部に座ったり立ったりする動作の邪魔とならないようにすることが課題であった。【解決手段】  座部２と、この座部２の後方を支点として回動可能に設けた背もたれ部３と、座部２の左右に設けた肘掛け部４と、座部２および背もたれ部３の少なくとも一方に内蔵したマッサージ機構（８〜１４）とを有するマッサージ椅子において、背もたれ部３に回動可能に軸支されこの背もたれ部３の一側部から一方の肘掛け部４より外側で前方に向かって突出したリモコン支持アーム１５と、このリモコン支持アーム１５の先端部に設けたリモコン保持部４５と、このリモコン保持部４５に保持されるリモコン装置４６と、肘掛け部４の外側で上下方向に回動するリモコン支持アーム１５をいずれかの位置で選択的に係止させるロック機構１９とを備えたものである。【選択図】  図１  
2006034735.tif 000002
【特許請求の範囲】
【請求項１】
座部と、この座部の後方を支点として回動可能に設けた背もたれ部と、前記座部の左右に設けた肘掛け部と、前記座部および背もたれ部の少なくとも一方に内蔵したマッサージ機構とを有するマッサージ椅子において、
前記背もたれ部に回動可能に軸支されこの背もたれ部の一側部から一方の前記肘掛け部より外側で前方に向かって突出したリモコン支持アームと、このリモコン支持アームの先端部に設けたリモコン保持部と、このリモコン保持部に保持されるリモコン装置と、前記肘掛け部の外側で上下方向に回動する前記リモコン支持アームをいずれかの位置で選択的に係止させるロック機構とを備えたことを特徴とするマッサージ椅子。
【請求項２】
座部と、この座部の後方を支点として回動可能に設けた背もたれ部と、前記座部の左右に設けた肘掛け部と、前記座部および背もたれ部の少なくとも一方に内蔵したマッサージ機構とを有するマッサージ椅子において、
前記背もたれ部の一側部から前方に突出したリモコン支持アームと、このリモコン支持アームの先端部にほぼ垂直方向の回転軸を中心に回動可能に設けたリモコン保持部と、このリモコン保持部に保持され操作面が前記背もたれ部に向けられた平板状のリモコン装置とを備え、前記リモコン保持部を水平方向に回動して前記リモコン装置の操作面を左右方向に向けて保持可能としたことを特徴とするマッサージ椅子。
【請求項３】
座部と、この座部の後方を支点として回動可能に設けた背もたれ部と、前記座部の左右に設けた肘掛け部と、前記座部および背もたれ部の少なくとも一方に内蔵したマッサージ機構とを有するマッサージ椅子において、
前記背もたれ部の一側部から前方に突出させたリモコン支持アームと、このリモコン支持アームの先端部にほぼ前後方向の回転軸を中心に回動可能に設けたリモコン保持部と、このリモコン保持部に保持され操作面が前記背もたれ部に向けられたリモコン装置と、このリモコン装置を少なくとも垂直方向または水平方向の状態となった位置でそれぞれリモコン保持部を係止する保持機構とを備えたことを特徴とするマッサージ椅子。
【発明の詳細な説明】
【技術分野】
【０００１】
本発明は、身体に治療を行うマッサージ機構を備えたマッサージ椅子に関する。
【背景技術】
【０００２】
現在普及しているマッサージ椅子としては、座部の後方を支点として背もたれ部が回動可能に設けられ、座部の左右には肘掛け部を配置したものが多い。そして、これらの座部および背もたれ部の内部には、モータや圧縮エアーの供給により駆動されるマッサージ機構が内蔵され、このマッサージ機構により、身体の一部を叩いたり、揉んだり、振動を与えて身体の疲労回復や改善を図るものである。
【０００３】
そして、このマッサージ機構を制御するために、各種の操作ボタンを有するリモコン装置が設けられている。このリモコン装置は、座部や肘掛け部に備えた収納部やホルダーに収容しておいて、マッサージ椅子を使用する場合には、これを取出して操作を行うものがある。しかし、マッサージ椅子の座部に座った使用者が、背もたれ部が回動して後方に傾倒したままの体勢で収納部やホルダーからリモコン装置を取出すことは、収納部などに手が届き難くなるために困難であり、一旦身体を起こしてからこれらを行う必要があった。（例えば、特許文献１参照）
【０００４】
これを解決するために、このリモコン装置やリモコン着脱台を、背もたれ部に固定したフレキシブルアームや、背もたれ部に一端を回動自在に枢着した棒状部材に取付けたものがある。これにより使用者は、背もたれ部が回動して後傾させた体勢であっても、この背もたれ部の回動動作と一体的にリモコン装置やリモコン着脱台が移動するために、リモコン装置の操作や取出しを容易に行うことができる。（例えば、特許文献２参照）
【特許文献１】特開２００１−３２７５６６号公報（第４頁、図１）
【特許文献２】特開２００４−３３３６１号公報（第４頁、図１）
【発明の開示】
【発明が解決しようとする課題】
【０００５】
このような従来例において、前者の場合は、リモコンホルダーが肘掛け部に固定されているとともに、そこから前方および上方に突出している。そのため、背もたれ部を回動して後傾させた場合に、使用者によるリモコン操作が困難となったり、リモコンホルダーは、使用者がマッサージ椅子に座ったり立ったりする際に、身体の一部に当って邪魔になるものであった。また後者の場合は、背もたれ部の後傾に係わらずリモコン操作が容易であるものの、前方および上方に突出しているフレキシブルアームまたは棒状部材およびリモコン装置が、使用者が座部に座ったり立ったりする際に、特に手や腕に当って邪魔となるものであった。
【０００６】
本発明は、上記事情に鑑みなされたものであって、使用者が利用し易いマッサージ椅子の提供を目的とする。
【課題を解決するための手段】
【０００７】
本発明は、座部と、この座部の後方を支点として回動可能に設けた背もたれ部と、前記座部の左右に設けた肘掛け部と、前記座部および背もたれ部の少なくとも一方に内蔵したマッサージ機構とを有するマッサージ椅子において、前記背もたれ部に回動可能に軸支されこの背もたれ部の一側部から一方の前記肘掛け部より外側で前方に向かって突出したリモコン支持アームと、このリモコン支持アームの先端部に設けたリモコン保持部と、このリモコン保持部に保持されるリモコン装置と、前記肘掛け部の外側で上下方向に回動する前記リモコン支持アームをいずれかの位置で選択的に係止させるロック機構と、を備えたことを主要な特徴とする。
【発明の効果】
【０００８】
本発明のマッサージ椅子は、背もたれ部に取付けたリモコン支持アームおよびこのリモコン支持アームに取付けたリモコン装置を、使用者が座部に座ったり立ったりする動作の邪魔とならないようにすることができる。
【発明を実施するための最良の形態】
【０００９】
以下、本発明によるマッサージ椅子の実施態様について、図１から図１１を参照して説明する。
【実施例１】
【００１０】
図１は、この発明の１つの実施形態であるマッサージ椅子１を示している。このマッサージ椅子１は、図示しない脚部を下方に有する平坦状をしたほぼ四辺形の座部２と、この座部２の後方に一辺が接して回動自在となった背もたれ部３と、座部２の左右両側に設けられた肘掛け部４と、座部２の前方に位置したオットマン５とが設けられている。
【００１１】
座部２の内部には、膨張と収縮を繰り返すことが可能なエアーバッグ８、９、全てのエアーバックにエアーを給排気するための駆動装置１０が設けられ、また背もたれ部３には、メカ式マッサージ機１１、エアーバッグ１２、１３を設けられ、２本の下肢を収容するオットマン５には、それぞれ個別に動作可能なエアーバッグ１４が設けられて、全体でマッサージ椅子１のマッサージ機構を構成している。
【００１２】
背もたれ部３の一側部には、外方および前方に突出したリモコン支持アーム１５が取付けられている。このリモコン支持アーム１５は、円柱状の取付アーム１６、管状の延長アーム１７、支持アーム１８から構成され、延長アーム１７の端部はそれぞれ互いに連結されている。このうち取付アーム１６は、背もたれ部３に一端が固定されて一側方から一方の肘掛け部４の外側まで延び、その他端には、前方に向かってほぼ水平方向に延びた延長アーム１７の一端が回動可能に連結されている。
【００１３】
次に図２により、この取付アーム１６と延長アーム１７との連結部に設けたロック機構１９について説明する。円柱状の取付アーム１６は、径小の軸部２０を有し、その端部には円形のストッパー２１がネジ部２２により固定されている。このストッパー２１に接する面と反対側の面に、傘歯車に近似する複数の固定歯２３を軸部２０に接する部分から放射状に設けた円筒状の位置決め体２４が、ネジ２５により軸部２０の端部に固定されている。この位置決め体２４の固定歯２３には、これに類似して咬合する複数の可動歯２６を有して軸部２０に対し回動自在となった円筒状の回動体２７が、延長アーム１７の一端にネジ２８により固定されている。この延長アーム１７には、軸部２０に嵌合する軸穴２９を有し、その軸穴２９の周囲と取付アーム１６に取付けたワッシャ３０との間にコイル状のスプリング３１が挟持されている。このスプリング３１の付勢力により延長アーム１７および可動体２７を、位置決め体２４に向かって押圧することにより、固定歯２３の山および谷と可動歯２６の谷ならびに山とが圧接状態で咬合している。
【００１４】
このようなロック機構１９を有するリモコン支持アーム１５の連結構造において、図１に示した状態から、使用者が延長アーム１７を握り下方に向かって一定以上の力を加えた場合、延長アーム１７は、スプリング３１を圧縮する方向に軸部２０に沿って移動しつつ、位置決め体２４に有する固定歯２３の山を回動体２７の可動歯２６の山が乗り越えて、背もたれ部３に固定された取付アーム１６に対して回動する。そして、固定歯２３と可動歯２６との次の山と谷とがスプリング３１の付勢力により圧接状態で咬合することによって、図３に示したように、リモコン支持アーム１５は、肘掛け部４の外側を水平方向から下方４５度の角度に回動した位置で安定状態に保持される。この状態からさらに延長アーム１７に下方の力を加えた場合には、上記と同様な動作によって図４に示したように、延長アーム１７が垂直状態の角度となってリモコン支持アーム１５を保持することができる。また、図３または図４の状態から図１のように、リモコン支持アーム１５を上方に回動して安定状態を復帰させる場合には、延長アーム１７を上方に向かって一定以上の力を加えることにより、上記と同様に動作させてこれを行うことができる。
【００１５】
次に図５および図６により、リモコン支持アーム１５の延長アーム１７と支持アーム１８との連結部に設けた保持機構であるディテント機構３５につき説明する。管状となった延長アーム１７の他端部は、上方に向かってほぼ直角方向に屈曲され、その先端に支持アーム１８が連結されており、この延長アーム１７の端部には、中心に向かう貫通口３６を有するとともに、外周面にねじ山が形成された円筒状の押圧筒３７が一体に設けられている。この押圧筒３７には、互いのねじ山が係合して、貫通口３６を覆うキャップ３８が取り付けられ、このキャップ３８の内面は、貫通口３６に挿入した球状体のディテントボール３９を内方に押し込むコイルスプリング４０の端部を保持している。
【００１６】
また延長アーム１７の管内には、支持アーム１８の支持端部４１が回動自在に係合している。この支持端部４１の外周には、断面が浅いＶ字状となった環状溝４２が水平方向に設けられ、さらにその環状溝４２の外周１８０度の角度範囲には、さらに深い球面状となったディテント凹部４３が均一な間隔で５個所に設けられている。そして、この環状溝４２には、前記コイルスプリング４０により押圧されたディテントボール３９が係合するとともに、このディテントボール３９は、支持端部４１の回動角度によって５個所のディテント凹部４３に嵌合可能となっている。
【００１７】
一方、支持アーム１８の上端には、上方と前面とが開口した容器状のリモコン保持部４５が固定されている。このリモコン保持部４５には、マッサージ機構の制御を行う各種ボタンが設けられた操作面を有するリモコン装置４６が、上方から着脱可能に収容されている。このリモコン装置４６は平板状に形成され、使用時の操作面４７は背もたれ部３に向けられることが多い。なお、このリモコン保持部４５には、リモコン装置４６を一体的に組込み、支持アーム１８とともに延長アーム１７から取り外せるようにしたり、リモコン保持部４５とリモコン装置４６とを一体化してリモコン支持アーム１５の先端部に固定し、リモコン装置４６をリモコン保持部４５から取り外して操作できないようにして、リモコン支持アーム１５の先端部のみで操作するようにすることもできる。
【００１８】
上記の延長アーム１７と支持アーム１８との連結部に保持機構であるディテント機構３５を備えたことにより、座部２に座った使用者がリモコン保持部４５またはリモコン装置４６を握って一定以上の回動力を加えることで、これらを垂直方向の軸により回動させるとともに、リモコン装置４６を５個所に設けたディテント凹部４３のうちから、操作面４７を使用者が操作し易い方向に向けた位置に保持することができる。通常の場合、リモコン装置４６の操作面４７は、後方にある背もたれ部３に向けられた状態が操作し易い位置となる。
【００１９】
次に、これらの構成からなる図１で示された状態のマッサージ椅子１を、利用者が使用する場合について説明する。使用者は、まず座部２に腰を掛けて、リモコン支持アーム１５が図３または図４のように下方に下がっていた場合には、延長アーム１７を握ってロック機構１９を中心に上方に回動させ、リモコン装置４６の操作面４７を見易い高さに調整して保持する。次に、使用者はディテント機構３５の垂直方向の軸を中心にリモコン保持部４５を水平方向に回動させて、リモコン装置４６の操作面４７を見易い方向に向けて保持する。その後、リモコン装置の電源スイッチを入れ、そして操作ボタンを操作して背もたれ部３がうしろに傾いた状態、すなわち後傾状態が使用者のマッサージ作業に適合する角度となるように図示しない動力装置を駆動して調整する。この背もたれ部３の後傾を変化させた場合でも、リモコン支持アーム１５がこの背もたれ部３に取付けられていて一体的に移動することにより、使用者の手が操作面に届かなくなってリモコン装置４６の操作に支障をきたすようなことはない。
【００２０】
そして、リモコン装置４６をさらに操作することにより、各種のマッサージが可能となる。このマッサージ椅子１には、マッサージ機構を構成するエアーバッグ８、９、駆動装置１０、メカ式マッサージ機１１、エアーバッグ１２、１３、エアーバッグ１４の動作順序、強さ、頻度、組合せなどの複数のコースが予め設定されており、使用者の希望によってこれらコースを選択したり、希望する機能だけを選択して動作することができる制御ボタンがリモコン装置４６の操作面４７に設けられている。
【００２１】
マッサージ椅子１の使用後は、前方に水平方向に延びているリモコン支持アーム１５を、図３または図４に示したように、ロック機構１９により肘掛け部４の外側を下方に回動して、水平方向から下方に４５度または９０度の角度で保持しておくことにより、次の使用者が座部２に座る際に、リモコン保持部４５、リモコン装置４６やリモコン支持アーム１５が使用者の人体に触れて邪魔になることがない。なお、このリモコン支持アーム１５を押し下げる際に、リモコン保持部４５およびリモコン装置４６が肘掛け部４に衝突する場合には、ディテント機構３５を機能させて、リモコン保持部４５およびリモコン装置４６の操作面４７が、使用時の前後方向から左右方向に向くよう回動して保持しておく必要がある。
【実施例２】
【００２２】
次に、図７および図８により、上記実施例と同一の構成は同一の番号を使用して、他の実施例を説明する。背もたれ部３の一側部には、そこから側方に突出した取付部５０、およびこの取付部５０から直角方向に屈曲して前方に延びるとともに、先端部が上方に屈曲した延長部５１を有する円柱状の１本のリモコン支持アーム５３が設けられている。このリモコン支持アーム５３は、上記実施例のリモコン支持アーム１５とは異なり、ロック機構１９が設けられていない。このリモコン支持アーム５３は、取付部５０が実施例１の取付アーム１６よりも外側に突出する長さが短いことにより、肘掛け部４の上方に沿って全体が前方に突出している。
【００２３】
延長部５１の先端には支持部５２が連結され、その連結部は図５、図６に示した延長アーム１７と支持アーム１８との接続構造と同一となっており、リモコン保持部４５およびリモコン装置４６は、保持機構であるディテント機構３５により、１８０度の角度範囲で回動および位置の保持が可能となっている。従って、マッサージ椅子１の使用中は平板状をしたリモコン装置４６を前後方向に向けることで、図７に示すように背もたれ部４に操作面４７が対向しており、使用者が座部２から離れる際は、図８に示すようにリモコン装置４６の操作面４７を、ほぼ垂直方向の軸を中心に９０度の角度に回動して左または右方向に向け、身体に接触して邪魔にならないように保持することができる。このとき、リモコン保持部４５およびリモコン装置４６の外側面は、すくなくとも肘掛け部４の内側面よりも外方に位置するようになっている。
【００２４】
なお、このリモコン装置４６を左右方向または前後方向に向けた状態で保持するためには、必ずしもディテント機構３５を必要とせずに、回動可能に設けた延長部５１と支持部５２とをネジで締め付けることにより一時的に保持するロック機構を設けることや、あるいは延長部５１と支持部５２との回動嵌合個所の摩擦抵抗によっても保持することができる。
【実施例３】
【００２５】
さらに、図９、図１０により、上記実施例と同一の構成は同一の番号を使用して、その他の実施例を説明する。前記実施例２と同様に、背もたれ部３の一側部には、そこから側方に突出した取付部５５とこの取付部５５から屈曲して前方に向かってほぼ水平方向に延びる延長部５６とからなる円柱状のリモコン支持アーム５７が設けられている。また、このリモコン支持アーム５７の先端部には、取付部５５と平行する方向に屈曲した支持部５８が、図５と近似するディテント機構５９を介して回動可能に取付けられている。さらに、この支持部５８には、リモコン装置４６が着脱可能となったリモコン支持部４５が固定されている。これらのリモコン支持アーム５７、リモコン支持部４５、リモコン装置４６は、マッサージ椅子１の使用中においては、全体として水平状態に接続されている。
【００２６】
このような構成により、リモコン保持部４５およびリモコン装置４６は、延長部５６の中心軸を中心に、実線で示した水平方向の位置から、矢印Ｂ方向に回動して点線で示した垂直方向の位置まで９０度の角度を２段階に回動して、それぞれの位置で保持することができる。これにより、使用中にリモコン装置４６を使用者が操作し易い実線の位置から、座部２から立ち上がったり、座ったりする際に身体に接触して邪魔にならない点線で示した位置まで回動することが可能となる。この場合におけるリモコン装置４６の操作面４７は、いずれにおいても背もたれ部３の方向に向けられている。このようなリモコン支持アーム５７は、左利きの人がマッサージ椅子１を使用する場合であっても、水平方向にリモコン装置４６が延びていることにより、比較的リモコン装置４６の操作を容易とすることができる。なお、ディテント機構５９は、リモコン支持アーム５７と支持部５８との接続部に設けたが、これに限らず、延長部５６の中間部や取付部５５と延長部５６との接続部に設けても同様な機能を得ることができる。
【００２７】
なお、上記実施例２および実施例３のリモコン支持アーム５３、５７の取付部５０、５５は、肘掛け部４の上方までの長さとしたが、これを肘掛け部４の外側までの長さとし、実施例１と同様に、肘掛け部４の外側に沿って下方まで回動するようにすることもできる。
【００２８】
また、上記実施例１のリモコン支持アーム１５にある取付アーム１６と延長アーム１７との連結部に設けたロック機構１９は、一定以上の回転力を付与することにより回動するとともに、回転力の付与を中止することにより回動後の位置を保持することができるディテント機構としたが、このディテント機構に代えて、図示しないレバーを、手動により一方方向に回動してリモコン支持アーム１５を締め付けてロックしたり、他方方向に回動してロックを解除したりするロック機構とすることもできる。
【実施例４】
【００２９】
さらに、このロック機構１９は、例えば図１１に示したように、１本のリモコン支持アーム６０の一端を背もたれ部３の内部に回動可能に軸支し、このリモコン支持アーム６０に８個づつの凹凸面を外周に有するディテント板６１を固定し、このディテント板６１の凹凸面には、背もたれ部のフレーム６３に固定した板ばね６２の先端部に形成する曲面を係合させて、ディテント機構６５としても良いものである。そして、この背もたれ部３の内部に設けたディテント機構６５を有して、背もたれ部の一側部から側方に突出したリモコン支持アーム６０を、肘掛け部３の外側で直角方向に屈曲して前方に突出させ、その先端にリモコン支持部４５およびリモコン装置４６を固定し、上下方向に回動可能とすることができる。
【００３０】
上記各実施例の肘掛け部は、床面まで延びているが、これに限定されず、肘を乗せることが必要な上端面だけを設けて、この肘掛け部を下部または側方から支柱で支える構造としても良い。また、下肢のマッサージを行うオットマンは、マッサージ椅子に必ず設けてある必要はない。
【００３１】
また、背もたれ部を、左右両側の肘掛け部の後方までくるような広い幅を有するように構成した場合には、背もたれ部の内部に取付アーム、取付部やロック機構を収容して、延長アームや延長部は、背もたれ部の一側部から直接前方に突出するようなリモコン支持アームの構造とすることができる。
【図面の簡単な説明】
【００３２】
【図１】本発明によるマッサージ椅子の使用状態を示す斜視図である。（実施例１）
【図２】図１に示すマッサージ椅子のロック機構を表す一部断面図である。
【図３】図１に示すマッサージ椅子の側面図である。
【図４】図１に示すマッサージ椅子の側面図である。
【図５】図１に示すマッサージ椅子の保持機構を表す一部断面図である。
【図６】図５に示すＡ−Ａ部分の断面図である。
【図７】本発明によるマッサージ椅子の他の実施例を示す正面図である。（実施例２）
【図８】図７のマッサージ椅子の変化を示す正面図である。
【図９】本発明によるマッサージ椅子の他の実施例の使用状態を示す正面図である。（実施例３）
【図１０】図９に示すマッサージ椅子の保持機構を表す一部断面図である。
【図１１】本発明によるマッサージ椅子の他のロック機構を表す斜視図である。（実施例４）
【符号の説明】
【００３３】
２    座部
３    背もたれ部
４    肘掛け部
８〜１４  マッサージ機構
１５、５３、５７  リモコン支持アーム
１９  ロック機構
３５  保持機構（ディテント機構）
４５  リモコン保持部
４６  リモコン装置
４７  操作面
【図１】
2006034735.tif 000003
【図２】
2006034735.tif 000004
【図３】
2006034735.tif 000005
【図４】
2006034735.tif 000006
【図５】
2006034735.tif 000007
【図６】
2006034735.tif 000008
【図７】
2006034735.tif 000009
【図８】
2006034735.tif 000010
【図９】
2006034735.tif 000011
【図１０】
2006034735.tif 000012
【図１１】
2006034735.tif 000013